(57)【要約】【課題】情報処理装置を開閉したときに、カーソルスティック等の操作部に割り当てられている機能を意識することなく、また煩雑な操作を行う必要のない使い勝手の向上が図られた情報処理装置等を提供すること。【解決手段】ＰＣリモーター１０は、開いている状態の時には、第２の筐体２００側のカーソルキー４０が露出し、第１の筐体１００側に、サーバ側の表示を分割表示する表示部３０が設けられ、表示部３０の近傍にユーザの操作により複数の機能が切替え可能なカーソルスティック２０が設けら、自装置の開閉状態の遷移を検知すると、カーソルスティック２０に所定の機能を割り当てる。【選択図】図１
2010073068.tif 000002
【特許請求の範囲】
【請求項１】
第１の筐体と第２の筐体とを備え、該第１の筐体がスライドして自装置が開いている状態の時には、前記第２の筐体側の入力部が露出し、
前記第１の筐体側に、サーバ側の表示を分割表示する表示部が設けられ、該表示部の近傍にユーザの操作により複数の機能が切替え可能な操作部が設けられた情報処理装置であって、
自装置の開閉状態の遷移を検知すると、前記操作部に所定の機能を割り当てることを特徴とする情報処理装置。
【請求項２】
前記操作部への所定の機能の割当ては、記憶部に格納されたテーブルを参照して割り当てる機能を決定することを特徴とする請求項１記載の情報処理装置。
【請求項３】
前記操作部への所定の機能の割当ては、閉じている状態から開いている状態への遷移を検知した場合には、画面表示領域の位置変更機能を割り当てることを特徴とする請求項１または２記載の情報処理装置。
【請求項４】
前記操作部への所定の機能の割当ては、開いている状態から閉じている状態への遷移を検知した場合には、カーソルキー機能を割り当てることを特徴とする請求項１から３のいずれか１項に記載の情報処理装置。
【請求項５】
第１の筐体と第２の筐体とを備え、該第１の筐体がスライドして自装置が開いている状態の時には、前記第２の筐体側の入力部が露出し、
前記第１の筐体側に、サーバ側の表示を分割表示する表示部が設けられ、該表示部の近傍にユーザの操作により複数の機能が切替え可能な操作部が設けられた情報処理装置の操作部の機能切替方法であって、
自装置の開閉状態の遷移を検知するステップと、前記カーソル操作部に所定の機能を割り当てるステップとを有することを特徴とする操作部の機能切替方法。
【請求項６】
前記操作部への所定の機能の割当ては、記憶部に格納されたテーブルを参照して割り当てる機能を決定することを特徴とする請求項５記載の操作部の機能切替方法。
【請求項７】
前記操作部への所定の機能の割当ては、閉じている状態から開いている状態への遷移を検知した場合には、画面表示領域の位置変更機能を割り当てることを特徴とする請求項５または６記載の操作部の機能切替方法。
【請求項８】
前記操作部への所定の機能の割当ては、開いている状態から閉じている状態への遷移を検知した場合には、カーソルキー機能を割り当てることを特徴とする請求項５から７のいずれか１項に記載の操作部の機能切替方法。
【発明の詳細な説明】
【技術分野】
【０００１】
本発明は、カーソルスティック等の操作部の機能を切り替える技術に関する。
【背景技術】
【０００２】
情報処理を実際に実行するサーバ側の画面データをネットワーク経由で表示させる情報処理装置としてＰＣリモーターがある。
【０００３】
ＰＣリモーター等のポケットタイプの情報処理装置のなかには第１の筐体と第２の筐体とを備え、第１の筐体は表示画面を有し上下等にスライド可能であり、第２の筐体はキーボード等のキー入力部を有するものがある。
【０００４】
ＰＣリモーター等のポケットタイプの情報処理装置は画面サイズが小さいため、サーバ側の全画面を表示できない。そのためサーバ側の画面の一部を切り出して表示している。
【０００５】
そのため、ＰＣリモーターの画面表示内容を、第１の筐体の表示画面近傍に設けられた所定の操作部に対するユーザのスクロール操作により、所望の領域、例えば、アプリケーションの画面等を表示させている。
【０００６】
ここで、第１の筐体がスライドし、ＰＣリモーターが開いている状態の時には、キーボード等が露出しており、ユーザはキーボード等の操作が可能である。従って、ユーザにとっては、カーソルスティック等の操作部を、カーソル機能以外の機能として利用することが合理的である。
これまでは、このような場合に、わざわざ、ユーザのカーソルスティック等の操作部の機能を切り替える操作が必要であり、煩わしかった。
【０００７】
また、ＰＣリモーターが開いている状態から第１の筐体がスライドし、筐体が閉じている状態では、カーソルスティックのみが露出しており、ユーザはキーボード等の操作ができず、カーソルスティック等の操作部のみ操作可能となる。そして、ユーザはキーボード等による細かい操作が不要で、主に表示されたものを閲覧するアプリケーションを使用している場合にこの筐体が閉じている状態に変更して利用することが多く、この際、ユーザにとっては、カーソルスティック等の操作部を、主に表示されたものを閲覧するアプリケーションにおいて一般的な操作体系である上下左右のカーソル機能として利用することが合理的である。
【０００８】
関連技術として、フリップ機構を有する携帯電話機において、フリップの開閉状態を検出し、フリップが開いている状態と、閉じている状態では主機能キーが操作された場合に入力される入力機能を各状態で必要な機能に変換することで、キー数を減少させ小型化する技術が提案されている（例えば、特許文献１参照）。
【特許文献１】特開平９−３２１８３９号公報
【発明の開示】
【発明が解決しようとする課題】
【０００９】
しかしながら、上述の関連技術は、画面サイズが小さいため、サーバ側の全画面を表示できないので必ずサーバ側の画面の一部を切り出して表示する必要がある端末に関するものでない。したがって、その構成から必然的に導かれるカーソルスティック等の操作部の機能について、開いている状態でも、閉じている状態でも、切替操作によっていずれの入力機能も利用できるが、開いている状態あるいは閉じている状態を検出した時に、どの機能を割り当てるかという制御がなされるものではない。
【００１０】
本発明は、以上のような課題を解決するためになされたもので、ユーザは、ＰＣリモーター等のポケットタイプの情報処理装置を開閉したときに、カーソルスティック等の操作部に割り当てられている機能を意識することなく、また煩雑な操作を行う必要のない使い勝手の向上が図られた情報処理装置および操作部の機能切替方法を提供することを目的とする。
【課題を解決するための手段】
【００１１】
本発明の情報処理装置は、第１の筐体と第２の筐体とを備え、該第１の筐体がスライドして自装置が開いている状態の時には、前記第２の筐体側の入力部が露出し、
前記第１の筐体側に、サーバ側の表示を分割表示する表示部が設けられ、該表示部の近傍にユーザの操作により複数の機能が切替え可能な操作部が設けられた情報処理装置であって、
自装置の閉じている状態から開いている状態への遷移を検知すると、前記操作部に所定の機能を割り当てることを特徴とする。
【００１２】
また、本発明の操作部の機能切替方法は、第１の筐体と第２の筐体とを備え、該第１の筐体がスライドして自装置が開いている状態の時には、前記第２の筐体側の入力部が露出し、
前記第１の筐体側に、サーバ側の表示を分割表示する表示部が設けられ、該表示部の近傍にユーザの操作により複数の機能が切替え可能な操作部が設けられた情報処理装置の操作部の機能切替方法であって、
自装置の閉じている状態から開いている状態への遷移を検知するステップと、前記カーソル操作部に所定の機能を割り当てるステップとを有することを特徴とする。
【発明の効果】
【００１３】
本発明によれば、情報処理装置を開閉したときに、カーソルスティック等の操作部に割り当てられている機能を意識することなく、また煩雑な操作を行う必要のない使い勝手の向上が図られた情報処理装置および操作部の機能切替方法を提供することができる。
【発明を実施するための最良の形態】
【００１４】
以下、本発明の第一の実施の形態について図面を参照して詳細に説明する。図１は、本実施の形態に係る情報処理装置の一例としてのＰＣリモーターの概観図である。図１に示す本実施の形態におけるＰＣリモーター１０は、第１の筐体１００側に、カーソルスティック２０と、表示部３０とを備え、第２の筐体２００側に、カーソルキー４０を備えて構成されている。
【００１５】
第１の筐体１００は上下にスライド可能であり第１の筐体がスライドし、ＰＣリモーター１０が開いている状態の時には、第２の筐体２００側のキーボード等が露出しており、ユーザはカーソルキー４０の操作が可能である。
【００１６】
第１の筐体１００側に、表示部３０の近傍にカーソルスティック２０が設けられている。カーソルスティック２０には、例えば、以下の２つの機能が割り当てられ、ユーザの操作によって切り替えることができる。
（１）画面表示領域の位置変更キー  ＋  ウィンドウフィットキー
（２）カーソルキー  ＋  Ｅｎｔｅｒキー
なお、ウィンドウフィットキー機能とは、ウィンドウフィットボタンを押下すると、サーバ側で実行されているアプリケーションのウィンドウを、ＰＣリモーターに表示されている領域内に納めるものである。
【００１７】
画面表示領域の位置変更キー機能は、ＰＣリモーター等のポケットタイプの情報処理装置は画面サイズが小さいため、サーバ側の全画面を表示できないのでサーバ側の画面の一部を切り出して表示していることにより必要とされるものであり、画面表示のスクロールによりユーザの所望の領域、例えば、アプリケーションの画面等を表示させる。
【００１８】
カーソルキー機能は、ＰＣリモーター１０が閉じられている状態では、表示部３０には、例えば、ＴＶのＨＤＤ録画用の番組予約画面等のカーソル操作および決定操作のみでユーザが利用できるアプリケーションが表示されることを主に想定している。
【００１９】
カーソルスティック２０の機能について、ＰＣリモーター１０が開いている状態でも、閉じている状態でも、ユーザの切替操作によっていずれの入力機能も利用できることであってもよい。
【００２０】
図２は、本発明の実施の形態に係るＰＣリモーター１０の機能ブロック図である。図２に示す本実施の形態におけるＰＣリモーター１０は、ＣＰＵ等からなる制御部１１と、所定のテーブル等を有する記憶部１２と、開閉検知部１３と、機能切替部１４とから構成されている。
【００２１】
記憶部１２は、ＰＣリモーター１０の開閉状態に応じて切り替えるカーソルスティック２０の機能の一覧データ等を所定のテーブル等に保持している。
【００２２】
開閉検知部１３は、ＰＣリモーター１０の第１の筐体１００がスライドして開いている状態であるか、閉じている状態であるかを判定する機能を有している。第１の筐体１００の所定の位置に設けられた位置センサ等からの情報に基づいて開閉を判定することであってもよい。
【００２３】
機能切替部１４は、上記の（１）画面表示領域の位置変更キー  ＋  ウィンドウフィットキー、（２）カーソルキー  ＋  Ｅｎｔｅｒキーの切替を行う機能を有している。なお、その他の種々の機能が組み合わされてもよく、また、機能をブロックする無機能化を含む。
【００２４】
以下に、図３のフローチャートを参照して本実施の形態の閉じている状態から開いている状態へ遷移する場合の処理動作を詳細に説明する。
前提として、ＰＣリモーター１０が閉じている状態では、カーソルスティック２０の機能は、ユーザの長押し操作等により、（１）画面表示領域の位置変更キー  ＋  ウィンドウフィットキーと、（２）カーソルキー  ＋  Ｅｎｔｅｒキーとの機能の切替が可能とされている。そして、この（１）および（２）のいずれの機能が設定されている状態であってもよい。
【００２５】
まず、ＰＣリモーター１０の開閉検知部１３は、ＰＣリモーター１０の第１の筐体１００が、ユーザの操作により、スライドして閉じている状態から開いている状態へ遷移したことを検知する（Ｓ３０１）。
【００２６】
次に、機能切替部１４は、上記のステップＳ３０１でＰＣリモーター１０が開いている状態となった場合、記憶部１２の所定のテーブルを参照して（Ｓ３０２）、ＰＣリモーター１０の開閉状態に応じて切り替える機能の一覧データに基づいて、ＰＣリモーター１０が開いている状態となった場合にカーソルスティック２０に割り当てる機能を決定する。ここでは、カーソルスティック２０の機能を（１）画面表示領域の位置変更キー  ＋  ウィンドウフィットキー、（２）カーソルキー  ＋  Ｅｎｔｅｒキーのいずれの機能が選択されている状態であっても、（１）画面表示領域の位置変更  ＋  ウィンドウフィットの機能を自動的に割り当てることとする（Ｓ３０３）。すなわち、ＰＣリモーター１０が開状態・閉状態いずれの場合においても、排他的に切り替えることによって複数の機能（２つに限定にされるものではない）が割り当てられる操作ボタンに、ＰＣリモーター１０の開状態が検出されると、複数の機能のうちの所定の１つを自動的に割り当てるのである。
【００２７】
上記の本実施の形態によれば、ＰＣリモーター１０を開いたときに、ユーザは、カーソルスティック等の操作部に割り当てられている機能を意識する必要がない。また機能の切替のためにわざわざスライドさせて遠くなった第１の筐体１００に設けられている操作部を操作することに伴う煩雑な操作を行う必要がない。これは手のひらサイズで親指の移動による操作で足りる携帯電話機等とは大きくことなる本装置における使い勝手の向上に大きく寄与することを意味する。
【００２８】
以下に、図４のフローチャートを参照して本実施の形態の開いている状態から閉じている状態へ遷移する場合の処理動作を詳細に説明する。
前提として、ＰＣリモーター１０が開いている状態では、カーソルスティック２０の機能は、複数の機能のうちの所定の１つを自動的に割り当てられていることであってもよい。
【００２９】
まず、ＰＣリモーター１０の開閉検知部１３は、ＰＣリモーター１０の第１の筐体１００が、ユーザの操作により、スライドして開いている状態から閉じている状態へ遷移したことを検知する（Ｓ４０１）。
【００３０】
次に、機能切替部１４は、上記のステップＳ４０１でＰＣリモーター１０が閉じている状態となった場合、記憶部１２の所定のテーブルを参照して（Ｓ４０２）、ＰＣリモーター１０の開閉状態に応じて切り替える機能の一覧データに基づいて、ＰＣリモーター１０が閉じている状態となった場合にカーソルスティック２０に割り当てる機能を決定する。ここでは、カーソルスティック２０の機能を、カーソルキー  ＋  Ｅｎｔｅｒキーの機能を自動的に割り当てることとする（Ｓ４０３）。すなわち、ＰＣリモーター１０が開状態・閉状態いずれの場合においても、排他的に切り替えることによって複数の機能（２つに限定にされるものではない）が割り当てられる操作ボタンに、ＰＣリモーター１０の閉状態が検出されると、複数の機能のうちの所定の１つを自動的に割り当てるのである。
【００３１】
上記の本実施の形態によれば、ＰＣリモーター１０を閉じたときに、ユーザは、カーソルスティック等の操作部に割り当てられている機能を意識する必要がない。ＰＣリモーター１０が開いている状態から第１の筐体がスライドし、筐体が閉じている状態では、カーソルスティック２０のみが露出しており、ユーザはキーボード等の操作ができず、カーソルスティック２０のみ操作可能となる。そして、ユーザはキーボード等による細かい操作が不要で、主に表示されたものを閲覧するアプリケーションを使用している場合にこの筐体が閉じている状態に変更して利用することが多く、この際、ユーザにとっては、カーソルスティック２０を、主に表示されたものを閲覧するアプリケーションにおいて一般的な操作体系である上下左右のカーソル機能として利用することができ、本装置における使い勝手の向上に大きく寄与することを意味する。
【００３２】
なお、上述する実施の形態は、本発明の好適な実施の形態であり、本発明の要旨を逸脱しない範囲内において種々変更実施が可能である。例えば、ＰＣリモーター１０の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【図面の簡単な説明】
【００３３】
【図１】本発明の実施の形態に係るＰＣリモーターの概観図である。
【図２】本発明の実施の形態に係るＰＣリモーターの機能ブロック図である。
【図３】本発明の実施の形態に係る閉じている状態から開いている状態へ遷移する場合の処理動作を示すフローチャートである。
【図４】本発明の実施の形態に係る開いている状態から閉じている状態へ遷移する場合の処理動作を示すフローチャートである。
【符号の説明】
【００３４】
１０    ＰＣリモーター
２０    カーソルスティック
３０    表示部
４０    カーソルキー
１００    第１の筐体
２００    第２の筐体
【図１】
2010073068.tif 000003
【図２】
2010073068.tif 000004
【図３】
2010073068.tif 000005
【図４】
2010073068.tif 000006